(57)【要約】【課題】手動による調整検査のため調整検査に時間がかかる。【解決手段】カード１２の入力に接続された信号発生器１１と、カード１２内の比較器１３の出力に接続されたディジタルボルトメータ１５と、このディジタルボルトメータ１５の出力に接続された処理回路１８と、ボリューム１４の電圧を変化させるドライバ１９とを備え、ディジタルボルトメータ１５で読取った電圧値と予め定められた電圧値との差を演算するステップ２７と、このステップ２７において演算した結果に基づいてドライバ１９を駆動してボリューム１４を調整するステップを有したものである。これにより、レベル調整検査にかかる時間を短縮することができる。【選択図】　図１
2004144594.tif 000002
【特許請求の範囲】
【請求項１】
比較手段の基準電圧を設定する電圧設定手段を有する被検査物の前記比較手段の入力に接続されるとともに、出力レベルが切替可能な信号発生器と、前記被検査物の前記比較手段の出力と入力切替手段の一方との間に挿入されたディジタルボルトメータと、前記被検査物の前記比較手段の出力と前記入力切替手段の他方との間に挿入されたオシロスコープと、前記入力切替手段の出力が接続された処理手段と、この処理手段の出力が接続されるとともに、前記電圧設定手段の電圧を変化させる駆動手段と、前記処理手段の出力で前記信号発生器の出力レベルを切替える出力切替手段とを備えたレベル調整検査装置において、前記入力切替手段を前記ディジタルボルトメータ側へ切替えて、その電圧値を読取る第１のステップと、この第１のステップの後に、前記読取った電圧値と予め定められた電圧値との差を演算する第２のステップと、この第２のステップの後に、前記電圧設定手段の電圧を前記演算結果に基づいて前記駆動手段を使って変化させる第３のステップと、この第３のステップの後に、前記入力切替手段を前記オシロスコープ側に切替えて、その電圧値を読取る第４のステップと、この第４のステップの後に、前記オシロスコープで一定の掃引時間内に出力が有るか無いかを観測し、この観測結果に基づいて前記電圧設定手段を一定方向に微少量変化させる第５のステップとから成るレベル調整検査方法。
【請求項２】
第１のステップの前に、ディジタルボルトメータの出力が予め定められた範囲に成るように電圧調整手段を変化させるステップを有する請求項１に記載のレベル調整検査方法。
【請求項３】
第５のステップの後に、出力切替手段で信号発生器の出力を切替えて、被検査物の動作を確認する第６のステップを有する請求項２に記載のレベル調整検査方法。
【請求項４】
第６のステップにおいて、被検査物の電圧設定手段のバラツキに応じて、補正値を用いて演算した後、第１のステップに戻るステップを含む請求項３に記載のレベル調整検査方法。
【発明の詳細な説明】
【０００１】
【発明の属する技術分野】
本発明は、比較手段を有する被検査物のレベル調整検査方法に関するものである。
【０００２】
【従来の技術】
以下、従来の比較手段を有する被検査物のレベル調整検査方法は、図８に示すようなものであった。すなわち、図８において、１は信号発生器であり、この信号発生器１の出力は被検査物であるカード状の送受信器（以下、カードという）２の比較器３の一方の入力に供給されていた。そして、比較器３の他方の入力には基準電圧を設定する電圧設定手段としてのボリューム４が接続されていた。このボリューム４の一端は電源に接続されており、その共通端子が比較器３の他方の入力に接続されている。従って、ボリューム４を回すことによって、共通端子に供給される電圧の値を可変することができる。すなわち、比較器３の他方の入力に加える電圧を変化させることができるものである。
【０００３】
また、比較器３の出力はオシロスコープ５に接続されている。そして、調整検査者は目視６でオシロスコープ５の波形を見ながら、ドライバ７でボリューム４を回して比較器３の他方に加えられる電圧を観測しながら調整していた。
【０００４】
なお、この出願の発明に関連する先行技術文献情報としては、例えば、特許文献１が知られている。
【０００５】
【特許文献１】
特開平３−１７９３号公報
【０００６】
【発明が解決しようとする課題】
しかしながらこのような従来のレベル調整検査方法では、調整検査者がオシロスコープ５を見ながらドライバ７でボリューム４を回していた。このように、調整検査者が手動で調整検査をしていたので、どうしても調整検査に時間が多くかかるという問題があった。
【０００７】
そこで本発明は、このような問題点を解決したもので、調整検査時間が短縮されたレベル調整検査方法を提供することを目的としたものである。
【０００８】
【課題を解決するための手段】
この目的を達成するために本発明のレベル調整検査装置は、比較手段の基準電圧を設定する電圧設定手段を有する被検査物の前記比較手段の入力に接続されるとともに、出力レベルが切替可能な信号発生器と、前記被検査物の前記比較手段の出力と入力切替手段の一方との間に挿入されたディジタルボルトメータと、前記被検査物の前記比較手段の出力と前記入力切替手段の他方との間に挿入されたオシロスコープと、前記入力切替手段の出力が接続された処理手段と、この処理手段の出力が接続されるとともに、前記電圧設定手段の電圧を変化させる駆動手段と、前記処理手段の出力で前記信号発生器の出力レベルを切替える出力切替手段とを備えたレベル調整検査装置において、前記入力切替手段を前記ディジタルボルトメータ側へ切替えて、その電圧値を読取る第１のステップと、この第１のステップの後に、前記読取った電圧値と予め定められた電圧値との差を演算する第２のステップと、この第２のステップの後に、前記電圧設定手段の電圧を前記演算結果に基づいて前記駆動手段を使って変化させる第３のステップと、この第３のステップの後に、前記入力切替手段を前記オシロスコープ側に切替えて、その電圧値を読取る第４のステップと、この第４のステップの後に、前記オシロスコープで一定の掃引時間内に出力が有るか無いかを観測し、この観測結果に基づいて前記電圧設定手段を一定方向に微少量変化させる第５のステップとから成るものである。これにより、レベル調整検査にかかる時間を短縮することができる。
【０００９】
【発明の実施の形態】
本発明の請求項１に記載の発明は、比較手段の基準電圧を設定する電圧設定手段を有する被検査物の前記比較手段の入力に接続されるとともに、出力レベルが切替可能な信号発生器と、前記被検査物の前記比較手段の出力と入力切替手段の一方との間に挿入されたディジタルボルトメータと、前記被検査物の前記比較手段の出力と前記入力切替手段の他方との間に挿入されたオシロスコープと、前記入力切替手段の出力が接続された処理手段と、この処理手段の出力が接続されるとともに、前記電圧設定手段の電圧を変化させる駆動手段と、前記処理手段の出力で前記信号発生器の出力レベルを切替える出力切替手段とを備えたレベル調整検査装置において、前記入力切替手段を前記ディジタルボルトメータ側へ切替えて、その電圧値を読取る第１のステップと、この第１のステップの後に、前記読取った電圧値と予め定められた電圧値との差を演算する第２のステップと、この第２のステップの後に、前記電圧設定手段の電圧を前記演算結果に基づいて前記駆動手段を使って変化させる第３のステップと、この第３のステップの後に、前記入力切替手段を前記オシロスコープ側に切替えて、その電圧値を読取る第４のステップと、この第４のステップの後に、前記オシロスコープで一定の掃引時間内に出力が有るか無いかを観測し、この観測結果に基づいて前記電圧設定手段を一定方向に微少量変化させる第５のステップとから成るレベル調整検査方法であり、読取った電圧値と予め定められた電圧値との差を演算するステップを有しているので、この演算結果により設定値を予測して設定することができ、レベル調整検査時間を短縮することができる。
【００１０】
また、一度ディジタルボルトメータで測定して疎調整をした後、オシロスコープを用いて微調整をするので、精密な調整検査ができる。
【００１１】
請求項２に記載の発明は、第１のステップの前に、ディジタルボルトメータの出力が予め定められた範囲に成るように電圧調整手段を変化させるステップを有する請求項１に記載のレベル調整検査方法であり、たとえ、被検査物の特性にバラツキがあったとしても、予め一定の範囲に設定することができる。従って、結果として更に調整検査時間を短縮することができる。
【００１２】
請求項３に記載の発明は、第５のステップの後に、出力切替手段で信号発生器の出力を切替えて、被検査物の動作を確認する第６のステップを有する請求項２に記載のレベル調整検査方法であり、予め定められた信号が入力された場合に確実に動作することを確認し、正しく調整されたことを知ることができる。
【００１３】
請求項４に記載の発明は、第６のステップにおいて、被検査物の電圧設定手段のバラツキに応じて、補正値を用いて演算した後、第１のステップに戻るステップを含む請求項３に記載のレベル調整検査方法であり、たとえ、被検査物の電圧設定手段の特性が大きく異なっていたとしても、その特性に合った補正をすることにより正確な調整検査をすることができる。
【００１４】
以下、本発明の実施の形態について、図面を用いて説明する。図１は本発明のレベル調整検査装置のブロック図である。図１において、１１は信号発生器であり、１１ａは出力切替スイッチである。この信号発生器１１においては、略３１５ＭＨｚの高周波信号を出力する。また、この出力レベルは出力切替スイッチを切替えることにより、確実なオン状態を表す第１のレベルと、調整用のために用いる第２のレベルと、オン・オフ範囲を表す第３のレベルと、確実なオフ状態を表す第４のレベルの４種類の異なるレベルを出力することができる。ここで重要なことは第１のレベルから第４のレベルまでこの順に順次出力レベルが低くなっていることである。ただし、レベルの高い方をオンにするかオフにするかは、単なる取り決めに過ぎないものであって、この順が全く逆であっても良い。
【００１５】
次に、この信号発生器１１の出力信号は被検査物であるカード１２内に設けられた比較器１３の一方の入力に供給される。また、この比較器１３の他方の入力には、電圧設定手段としてのボリューム１４が接続されており、比較器１３の他方の入力に基準電圧が供給される。この基準電圧はボリューム１４を回動させることにより設定される。
【００１６】
比較器１３の出力はディジタルボルトメータ１５を介して入力切替手段１６の一方の端子１６ａに接続される。なお、この入力切替手段１６はハードウエアのスイッチとして構成してもソフトウエアのスイッチとして構成しても良い。また、比較器１３の出力はオシロスコープ１７を介して入力切替手段１６の他方の端子１６ｂに接続されている。
【００１７】
入力切替手段１６の共通端子１６ｃはマイクロコンピュータで構成された処理回路１８に接続されている。そして、この処理回路１８の出力は駆動回路としてのドライバ１９を介して、カード１２内に設けられたボリューム１４を制御するようになっている。また、処理回路１８の出力で信号発生器１１の出力切替手段１１ａの切替えを制御するようになっている。
【００１８】
以上のように構成されたレベル調整検査装置において、以下に調整検査方法を説明する。
【００１９】
図２は処理手段１８における処理手順である。まず処理２１において、初期演算式を設定する。次に、信号発生器１１の出力レベルを第３のレベルにして出力にする。そして処理２２で入力切替手段１６を１６ａ側にしてディジタルボルトメータ１５の値を処理手段１８に読み込む。
【００２０】
そして、この読み込んだ値が０．０５Ｖと４．２Ｖとの間かどうかを処理２３で判定する。その結果、４．２Ｖ以上であれば処理２４でドライバ１９を駆動してボリューム１４を回して電圧を下げる。そして、処理２３の前に戻る。
【００２１】
また、読み込んだ値が０．０５Ｖ以下であれば処理２５でドライバ１９を駆動してボリューム１４を回して電圧を上げる。そして、処理２３の前に戻る。
【００２２】
このようにボリューム１４を調整して、読み込んだ値を０．０５Ｖと４．２Ｖの間に入るようにする。
【００２３】
なお、この間の事情を図４に基づいて説明する。図４において、横軸４１はボリューム１４の回転量であり、縦軸４２は比較器１３の出力電圧である。４３は信号発生器１１の出力レベルであって、その値は第３のレベルである。このとき、この読み込んだ値が４．２Ｖ（縦軸の点４４）以上の特性４５であれば回転量４６だけボリューム１４を回して特性４７にする。このようにすることにより、第３のレベル４３での電圧４８は４．２Ｖ以下になる。
【００２４】
また、読み込んだ値が０．０５Ｖ（縦軸の点４９）以下の特性５０であれば回転量５１だけボリューム１４を回して特性５２にする。このようにすることにより、第３のレベル４３での電圧５３は０．５Ｖ以上になる。すなわち、この処理により、比較器１３からの出力は０．０５Ｖと４．２Ｖの間に設定される。
【００２５】
次に、図２の処理２６ａに戻る。処理２６ａでは、信号発生器１１の出力レベルを第２のレベル５５にして、次の処理２６ｂでディジタルボルトメータ１５の値を読み、この値に基づいて処理２７でボリューム１４の回転角を演算する。なお、この演算式は処理２１で与えられたものである。この演算結果に基づいて処理２８でドライバ１４を回転させる。そして、このボリューム１４を回転させた状態でのディジタルボルトメータ１５の値を読み込む。この値が、０．０５Ｖ以下か以上かを処理２９で判定する。
【００２６】
ここで若し、判定結果が０．０５Ｖ以上であれば処理２６ｂの前に戻って、処理２６ｂ以下の処理を繰り返す。
【００２７】
この間の事情を図５に基づいて説明する。図５において、横軸４１はボリューム１４の回転量であり、縦軸４２は比較器１３の出力電圧である。５５は信号発生器１１の出力レベルのある値であって、その値が第２のレベルである。このとき、この読み込んだ値が０．５Ｖ（縦軸の点４９）以上の特性５６であれば回転量５７だけボリューム１４を回して特性５８にする。このようにすることにより、第２のレベル５５での電圧５９は０．５Ｖ以下になる。
【００２８】
次に、図２の処理３０に戻る。今までは疎調整であったが、ここからは微調整に入る。
【００２９】
処理３０では入力切替手段１６を１６ｂ側に切替えてオシロスコープ１７の出力を読み込む。そして、オシロスコープ１７の一定の掃引時間内にパルスが有るか無いかを処理３１で判定する。このときパルスがあれば処理３２でボリューム１４の回転角を演算する。そして、この演算結果に基づいて、ドライバ１９を駆動してボリューム１４を一定方向に回す。そして、処理３１の前に戻す。
【００３０】
処理３１の判定で一定時間内にパルスがなければ、図３の処理３３に進む。この図３からの処理はカード１２が正常に働くか否かの検査である。
【００３１】
処理３３では、再び、入力切替手段１６を１６ａ側に切替える。そして、信号発生器１１の出力切替手段１１ａをオンレベルである第１のレベルを出力する。このとき処理３４では、ディジタルボルトメータ１５の値を読み、この値が０．０５Ｖ以下であることを確認する。ディジタルボルトメータ１５の値が０．０５Ｖ以上であれば処理２２の前に戻って、再度、調整からやり直す。
【００３２】
ディジタルボルトメータ１５の値が０．０５Ｖ以下であれば処理３５に進む。処理３５では、信号発生器１１の出力切替手段１１ａをオンオフレベルである第３のレベルを出力する。このとき処理３６では、ディジタルボルトメータ１５の値を読み、この値が０．０５Ｖと４．２Ｖの間にあることを確認する。ディジタルボルトメータ１５の値が０．０５Ｖと４．２Ｖの間に入っていなければ、処理３７で処理２１の演算式を補正して処理２２の前に戻って、再度、調整からやり直す。この処理３７については後述する。
【００３３】
ディジタルボルトメータ１５の値が０．０５Ｖと４．２Ｖの間にあれば処理３８に進む。処理３８では、信号発生器１１の出力切替手段１１ａをオフレベルである第４のレベルを出力する。このとき処理３９では、ディジタルボルトメータ１５の値を読み、この値が４．２Ｖ以上であることを確認する。ディジタルボルトメータ１５の値が４．２Ｖ以上であれば、調整検査は終了する。また、ディジタルボルトメータ１５の値が４．２Ｖ以下であれば、処理２２の前に戻って、再度、調整からやり直す。
【００３４】
次に、処理３７について図６、図７に基づいて説明する。図６において、信号発生器１１の出力レベルが第３のレベル４３のとき、通常の特性を有するボリューム１４では６０に示すような特性を有する。従って、このときの出力が４．２Ｖより高い点６２のときは、回転量６３だけ回転すれば、特性６４となって第３のレベル４３のとき、０．０５Ｖと４．２Ｖの間の値６５になる。
【００３５】
しかし、ボリューム１４の特性が極端に異なる特性６６のようなものでは、同じ回転量６３だけ回すと、特性６７のように移動し、第３のレベル４３では０．０５Ｖ以下の値６８になってしまう。従って、このような場合には、回転量６３を補正して、第３のレベル４３において、０．０５Ｖと４．２Ｖの間に入るようにする必要がある。そのために処理３７で処理２１の演算式を入れ替える訳である。
【００３６】
ここで、特性の極端に異なるボリューム１４とは、例えば、ボリューム１４の可変抵抗値の両端、或いは、その近傍で使うような場合に該当する。
【００３７】
また、図７において、信号発生器１１の出力レベルが第３のレベル４３のとき、通常の特性を有するボリューム１４では７０に示すような特性を有する。従って、このときの出力が０．０５Ｖより低い点７２のときは、回転量７３だけ回転すれば、特性７４となって第３のレベル４３のとき、０．０５Ｖと４．２Ｖの間の値７５になる。
【００３８】
しかし、ボリューム１４の特性が極端に異なる特性７６のようなものでは、同じ回転量７３だけ回すと、特性７７のように移動し、第３のレベル４３では４．２Ｖ以上の値７８になってしまう。従って、このような場合には、回転量７３を補正して、第３のレベル４３において、０．０５Ｖと４．２Ｖの間に入るようにする必要がある。そのために処理３７で処理２１の演算式を入れ替える訳である。
【００３９】
【発明の効果】
以上のように本発明によれば、読取った電圧値と予め定められた電圧値との差を演算するステップを有しているので、この演算結果により設定値を予測して設定することができ、レベル調整検査時間を短縮することができる。
【００４０】
また、一度ディジタルボルトメータで測定して疎調整をした後、オシロスコープを用いて微調整をするので、精密な調整検査ができる。
【図面の簡単な説明】
【図１】本発明の一実施の形態におけるレベル調整検査装置のブロック図
【図２】同、第１の処理フローチャート
【図３】同、第２の処理フローチャート
【図４】同、第１の特性図
【図５】同、第２の特性図
【図６】同、第３の特性図
【図７】同、第４の特性図
【図８】従来のレベル調整検査装置のブロック図
【符号の説明】
１１　信号発生器
１１ａ　出力切替スイッチ
１２　カード
１３　比較器
１４　ボリューム
１５　ディジタルボルトメータ
１６　入力切替手段
１７　オシロスコープ
１８　処理回路
１９　ドライバ
２６ｂ　入力レベルを読取る第１のステップ
２７　回転角を演算する第２のステップ
２８　ドライバを駆動する第３のステップ
３１　入力をオシロスコープに切替えてパルスを読取る第４のステップ
３２　ボリュームを一定方向に微少量回転させる第５のステップ
【図１】
2004144594.tif 000003
【図２】
2004144594.tif 000004
【図３】
2004144594.tif 000005
【図４】
2004144594.tif 000006
【図５】
2004144594.tif 000007
【図６】
2004144594.tif 000008
【図７】
2004144594.tif 000009
【図８】
2004144594.tif 000010